(57)【要約】【課題】商品カタログから実際の商品の形状や質感を容易に視認することができ、商品を検索に手間のかかることがなく、また、データベースに莫大な容量を必要とせずにコストの面でも有利な３次元モデル画像の表示検索システム、及び該３次元モデル画像の記録媒体並びにサーバを提供することを目的とする。【解決手段】商品の属性データ、２次元モデルデータ及び３次元モデルデータがデータベース５に記録されている。また、データ編集部４によってデータベース５に記録されているデータに基いて商品の画像情報が管理され、上記データ編集部４で管理された画像情報に対して、希望する商品の画像情報が、高速通信回線２を介して端末機３に表示される。そして、上記端末機３による希望する商品の表示、検索指示に対して、データ編集部４により該当する商品の３次元画像が、回転及びズーム可能で、且つ、その材質、寸法を変更可能に表示される。【選択図】    図１
2004151754.tif 000002
【特許請求の範囲】
【請求項１】
商品の属性データ、２次元モデルデータ及び３次元モデルデータを記録しているデータベースと、
上記データベースに記録されているデータに基いて商品の画像情報を管理する管理手段と、
上記管理手段で管理された画像情報に対して、希望する商品の画像情報を表示する端末機と、
を具備し、
上記管理手段は、上記端末機による希望する商品の表示、検索指示に対して、該当する商品の３次元画像を、回転及びズーム可能で、且つ、その材質、寸法を変更可能に表示することを特徴とする３次元モデル画像の表示検索システム。
【請求項２】
上記端末機は、上記管理手段で管理された画像情報に対して、通信回線を介して希望する商品の画像情報の検索、表示を行うことを特徴とする請求項１に記載の３次元モデル画像の表示検索システム。
【請求項３】
上記３次元モデルデータは、形状ファィルと属性ファィルとを有して成ることを特徴とする請求項１に記載の３次元モデル画像の表示検索システム。
【請求項４】
上記形状ファィルは商品の３次元形状のデータで構成され、上記属性ファィルは該商品の形状に対応した質感、寸法が定義されて構成されることを特徴とする請求項２に記載の３次元モデル画像の表示検索システム。
【請求項５】
上記管理手段は、上記形状ファィル、属性ファイル、３次元テクスチャ画像を１つのファィルに圧縮して管理することを特徴とする請求項３に記載の３次元モデル画像の表示検索システム。
【請求項６】
データベースサーバに記録された商品の属性データ、２次元モデルデータ及び３次元モデルデータに基いて、商品の画像情報を管理するプログラムを記録した記録媒体を使用する３次元モデル画像の表示検索システムに於いて、
上記プログラムに従って、上記データベースに記録されているデータに基いて、希望する商品の表示、検索指示に対して、該当する商品の３次元画像を、回転及びズーム可能で、且つ、その材質、寸法を変更可能に表示する端末機と、
を具備することを特徴とする３次元モデル画像の表示検索システム。
【請求項７】
上記３次元モデルデータは、形状ファィルと属性ファィルとを有して成ることを特徴とする請求項６に記載の３次元モデル画像の表示検索システム。
【請求項８】
上記形状ファィルは商品の３次元形状のデータで構成され、上記属性ファィルは該商品の形状に対応した質感、寸法が定義されて構成されることを特徴とする請求項７に記載の３次元モデル画像の表示検索システム。
【請求項９】
上記形状ファィル、属性ファイル、３次元テクスチャ画像は、１つのファィルに圧縮して管理されることを特徴とする請求項６に記載の３次元モデル画像の表示検索システム。
【請求項１０】
データベースサーバに記録された商品の属性データ、２次元モデルデータ及び３次元モデルデータに基いて、商品の画像情報を管理するプログラムを記録した記録媒体に於いて、
上記プログラムに従って、上記データベースに記録されているデータに対して、希望する商品の画像情報を端末機で表示検索するように促す手順と、
上記記録媒体で管理された画像情報に対して、希望する商品の画像情報を表示するように促す手順と、
上記希望する商品の表示、検索指示に対して、該当する商品の３次元画像を上記端末機に、回転及びズーム可能で、且つ、その材質、寸法を変更可能に表示するように促す手順と、
を具備することを特徴とする３次元モデル画像の表示検索プログラムを記録した記録媒体。
【請求項１１】
上記３次元モデルデータは、形状ファィルと属性ファィルとを有して成ることを特徴とする請求項１０に記載の３次元モデル画像の表示検索プログラムを記録した記録媒体。
【請求項１２】
上記形状ファィルは商品の３次元形状のデータで構成され、上記属性ファィルは該商品の形状に対応した質感、寸法が定義されて構成されることを特徴とする請求項１１に記載の３次元モデル画像の表示検索プログラムを記録した記録媒体。
【請求項１３】
上記形状ファィル、属性ファイル、３次元テクスチャ画像は、１つのファィルに圧縮して管理されることを特徴とする請求項１０に記載の３次元モデル画像の表示検索プログラムを記録した記録媒体。
【請求項１４】
データベースサーバに記録された商品の属性データ、２次元モデルデータ及び３次元モデルデータに基いて、商品の画像情報を管理するためのサーバに於いて、
上記データベースに記録されているデータに対して、希望する商品の画像情報を端末機で表示検索するように促す手順と、
上記管理された画像情報に対して、希望する商品の画像情報を表示するように促す手順と、
上記希望する商品の表示、検索指示に対して、該当する商品の３次元画像を、回転及びズーム可能で、且つ、その材質、寸法を変更可能に上記端末機に表示するように促す手順と、
を具備することを特徴とする３次元モデル画像の表示検索を行うためのサーバ。
【請求項１５】
上記３次元モデルデータは、形状ファィルと属性ファィルとを有して成ることを特徴とする請求項１４に記載の３次元モデル画像の表示検索を行うためのサーバ。
【請求項１６】
上記形状ファィルは商品の３次元形状のデータで構成され、上記属性ファィルは該商品の形状に対応した質感、寸法が定義されて構成されることを特徴とする請求項１５に記載の３次元モデル画像の表示検索を行うためのサーバ。
【請求項１７】
上記形状ファィル、属性ファイル、３次元テクスチャ画像は、１つのファィルに圧縮して管理されることを特徴とする請求項１４に記載の３次元モデル画像の表示検索を行うためのサーバ。
【発明の詳細な説明】
【０００１】
【発明の属する技術分野】
本発明は、建具や部品、素材等の商品のデータと２次元画像及び該商品の３次元画像を表示して検索が可能な３次元モデル画像の表示検索システム及び該３次元モデル画像の表示検索プログラムを記録した記録媒体並びに該３次元モデル画像の表示検索を行うためのサーバに関するものである。
【０００２】
【従来の技術】
従来、建具や部品、素材等の住宅部材は、その商品の画像と詳細なスペック（データ）を掲載した商品カタログを参照していた。
【０００３】
そして、近年、商品データの配信、利用が、建築業界に広く浸透するにつれて、配信する素材のバリエーションの増加や、内容の拡大要求が高まってきている。特にデータ化された商品情報は、アプリケーションを使用して利用するため、ユーザが使用する個々のアプリケーションとの連携が重要である。
【０００４】
ところで、近年、コンピュータの高性能化により、３ＤＣＧ（３次元コンピュータグラフィックス）のソフトウエアや建築ＣＡＤソフトウエアの機能も向上し、また、パーソナルコンピュータの低価格化により、それらを利用するユーザが増えてきている。これに伴って、メーカから、３Ｄデータ供給や建築ＣＡＤへ連携可能なデータの配布の要望があがってきている。
【０００５】
【発明が解決しようとする課題】
しかしながら、上述したような通常の商品カタログには写真しか載っておらず、実際の商品の形状や質感を把握しにくい。加えて、写真だけでは、一方向から見た形状しかわからないため、その商品全体を把握することは難しい。そのため、実際に購入した商品が顧客の予想と違うといった問題が起こることがあった。
【０００６】
更に、通常の商品カタログ上では、コスト等の理由により全商品の写真が存在しないため、写真として載っていない質感や寸法の違う商品が存在することが多くある。これらの商品の場合は、カタログ上では代表的な商品で代用しているため、実物のイメージを得ることが難しい。
【０００７】
また、既存の３Ｄのフォーマットでは、商品のデータベースと連動しておらず、ファイルとして個別に扱われていたため、必要なモデルを即座に検索する機構がないものであった。例えば、形状が同一で質感の違う商品を選択したい場合は、検索を最初からやり直さなければならず手間のかかるものであった。
【０００８】
加えて、既存の３Ｄフォーマットの書式は、作製している各社毎に異なり、統一性に欠けている。しかも、各社毎に独自の機能が盛り込まれており、他社製のソフトウエアから解釈することが難しく、様々なソフトウエアから簡単に同一モデルを読込むことができないものであった。
【０００９】
また、各社独自のフォーマットの大半は、一般に仕様が公開されていない。そのため、専用の開発用ツールが無ければ、対応ソフトウエアの開発は事実上不可能である。
【００１０】
更に、既存の手法で３Ｄモデルのデータベースを作成しようとすると、形状と属性が１ファイルで扱われているため、形状が同一で属性を複数持つ商品のデータはそれぞれ属性の数だけ個別に作成する必要があった。したがって、カタログ上の全ての商品に対する画像を表示するためには、結果として非常に莫大な容量を必要とするので、コストが高くなるという課題を有していた。
【００１１】
本発明は、上記実状に鑑みてなされたものであり、商品カタログから実際の商品の形状や質感を容易に視認することができ、商品を検索に手間のかかることがなく、また、データベースに莫大な容量を必要とせずにコストの面でも有利な３次元モデル画像の表示検索システム及び該３次元モデル画像の表示検索プログラムを記録した記録媒体並びに該３次元モデル画像の表示検索を行うためのサーバを提供することを目的とする。
【００１２】
【課題を解決するための手段】
すなわち、請求項１に記載の発明は、商品の属性データ、２次元モデルデータ及び３次元モデルデータを記録しているデータベースと、上記データベースに記録されているデータに基いて商品の画像情報を管理する管理手段と、上記管理手段で管理された画像情報に対して、希望する商品の画像情報を表示する端末機と、を具備し、上記管理手段は、上記端末機による希望する商品の表示、検索指示に対して、該当する商品の３次元画像を、回転及びズーム可能で、且つ、その材質、寸法を変更可能に表示することを特徴とする。
【００１３】
請求項２に記載の発明は、請求項１に記載の３次元モデル画像の表示検索システムに於いて、上記端末機が、上記管理手段で管理された画像情報に対して、通信回線を介して希望する商品の画像情報の検索、表示を行うことを特徴とする。
【００１４】
請求項３に記載の発明は、請求項１に記載の３次元モデル画像の表示検索システムに於いて、上記３次元モデルデータが、形状ファィルと属性ファィルとを有して成ることを特徴とする。
【００１５】
請求項４に記載の発明は、請求項２に記載の３次元モデル画像の表示検索システムに於いて、上記形状ファィルは商品の３次元形状のデータで構成され、上記属性ファィルは該商品の形状に対応した質感、寸法が定義されて構成されることを特徴とする。
【００１６】
請求項５に記載の発明は、請求項３に記載の３次元モデル画像の表示検索システムに於いて、上記管理手段が、上記形状ファィル、属性ファイル、３次元テクスチャ画像を１つのファィルに圧縮して管理することを特徴とする。
【００１７】
また、請求項６に記載の発明は、データベースサーバに記録された商品の属性データ、２次元モデルデータ及び３次元モデルデータに基いて、商品の画像情報を管理するプログラムを記録した記録媒体を使用する３次元モデル画像の表示検索システムに於いて、上記プログラムに従って、上記データベースに記録されているデータに基いて、希望する商品の表示、検索指示に対して、該当する商品の３次元画像を、回転及びズーム可能で、且つ、その材質、寸法を変更可能に表示する端末機と、を具備することを特徴とする。
【００１８】
請求項７に記載の発明は、請求項６に記載の３次元モデル画像の表示検索システムに於いて、上記３次元モデルデータが、形状ファィルと属性ファィルとを有して成ることを特徴とする。
【００１９】
請求項８に記載の発明は、請求項７に記載の３次元モデル画像の表示検索システムに於いて、上記形状ファィルは商品の３次元形状のデータで構成され、上記属性ファィルは該商品の形状に対応した質感、寸法が定義されて構成されることを特徴とする。
【００２０】
請求項９に記載の発明は、請求項６に記載の３次元モデル画像の表示検索システムに於いて、上記形状ファィル、属性ファイル、３次元テクスチャ画像は、１つのファィルに圧縮して管理されることを特徴とする。
【００２１】
更に、請求項１０に記載の発明は、データベースサーバに記録された商品の属性データ、２次元モデルデータ及び３次元モデルデータに基いて、商品の画像情報を管理するプログラムを記録した記録媒体に於いて、上記プログラムに従って、上記データベースに記録されているデータに対して、希望する商品の画像情報を端末機で表示検索するように促す手順と、上記記録媒体で管理された画像情報に対して、希望する商品の画像情報を表示するように促す手順と、上記希望する商品の表示、検索指示に対して、該当する商品の３次元画像を、回転及びズーム可能で、且つ、その材質、寸法を変更可能に上記端末機に表示するように促す手順と、を具備することを特徴とする。
【００２２】
請求項１１に記載の発明は、請求項１０に記載の３次元モデル画像の表示検索プログラムを記録した記録媒体に於いて、上記３次元モデルデータが、形状ファィルと属性ファィルとを有して成ることを特徴とする。
【００２３】
請求項１２に記載の発明は、請求項１１に記載の３次元モデル画像の表示検索プログラムを記録した記録媒体に於いて、上記形状ファィルは商品の３次元形状のデータで構成され、上記属性ファィルは該商品の形状に対応した質感、寸法が定義されて構成されることを特徴とする。
【００２４】
請求項１３に記載の発明は、請求項１０に記載の３次元モデル画像の表示検索プログラムを記録した記録媒体に於いて、上記形状ファィル、属性ファイル、３次元テクスチャ画像は、１つのファィルに圧縮して管理されることを特徴とする。
【００２５】
また、請求項１４に記載の発明は、データベースサーバに記録された商品の属性データ、２次元モデルデータ及び３次元モデルデータに基いて、商品の画像情報を管理するためのサーバに於いて、上記データベースに記録されているデータに対して、希望する商品の画像情報を端末機で表示検索するように促す手順と、上記管理された画像情報に対して、希望する商品の画像情報を表示するように促す手順と、上記希望する商品の表示、検索指示に対して、該当する商品の３次元画像を、回転及びズーム可能で、且つ、その材質、寸法を変更可能に上記端末機に表示するように促す手順と、を具備することを特徴とする。
【００２６】
請求項１５に記載の発明は、請求項１４に記載の３次元モデル画像の表示検索を行うためのサーバに於いて、上記３次元モデルデータが、形状ファィルと属性ファィルとを有して成ることを特徴とする。
【００２７】
請求項１６に記載の発明は、請求項１５に記載の３次元モデル画像の表示検索を行うためのサーバに於いて、上記形状ファィルは商品の３次元形状のデータで構成され、上記属性ファィルは該商品の形状に対応した質感、寸法が定義されて構成されることを特徴とする。
【００２８】
請求項１７に記載の発明は、請求項１４に記載の３次元モデル画像の表示検索を行うためのサーバに於いて、上記形状ファィル、属性ファイル、３次元テクスチャ画像は、１つのファィルに圧縮して管理されることを特徴とする。
【００２９】
請求項１に記載の３次元モデル画像の表示検索システムによれば、商品の属性データ、２次元モデルデータ及び３次元モデルデータがデータベースに記録されており、管理手段によって上記データベースに記録されているデータに基いて商品の画像情報が管理され、上記管理手段で管理された画像情報に対して、希望する商品の画像情報が端末機に表示される。そして、上記端末機による希望する商品の表示、検索指示に対して、上記管理手段により該当する商品の３次元画像が、回転及びズーム可能で、且つ、その材質、寸法を変更可能に表示される。
【００３０】
これにより、端末機上にて立体的に様々な方向から商品を見ることが可能となる。更に、専用の３次元ビューア上で属性を動的に変更することができるので、同一商品の質感や寸法違いの商品を、実際に目で確認しながら検索することができる。
【００３１】
請求項２に記載の発明によれば、請求項１に記載の３次元モデル画像の表示検索システムに於いて、上記端末機によって、上記管理手段で管理された画像情報に対して、通信回線を介して希望する商品の画像情報の検索、表示が行われる。
【００３２】
これにより、通信回線を介して商品のカタログを配布することが可能になる。
【００３３】
請求項３に記載の発明によれば、請求項１に記載の３次元モデル画像の表示検索システムに於いて、上記３次元モデルデータは、形状ファィルと属性ファィルとを有して成る。
【００３４】
これにより、サイズを抑えながら、より多くの商品をコンテンツに含むことが可能になる。
【００３５】
請求項４に記載の発明によれば、請求項２に記載の３次元モデル画像の表示検索システムに於いて、上記形状ファィルが商品の３次元形状のデータで構成され、上記属性ファィルが該商品の形状に対応した質感、寸法が定義されて構成される。
【００３６】
これにより、カタログ上には品番でしか存在しないような商品についても、属性を定義するだけで３次元データとして端末機上に表示することが可能となる。
【００３７】
請求項５に記載の発明によれば、請求項３に記載の３次元モデル画像の表示検索システムに於いて、上記管理手段が、上記形状ファィル、属性ファイル、３次元テクスチャ画像を１つのファィルに圧縮して管理する。
【００３８】
これにより、ファィルサイズを小さくすることができるので、管理が容易になる。
【００３９】
また、請求項６に記載の発明によれば、データベースサーバに記録された商品の属性データ、２次元モデルデータ及び３次元モデルデータに基いて、商品の画像情報を管理するプログラムを記録した記録媒体を使用する３次元モデル画像の表示検索システムに於いて、端末機では、上記プログラムに従って、上記データベースに記録されているデータに基いて、希望する商品の表示、検索指示に対して、該当する商品の３次元画像が、回転及びズーム可能で、且つ、その材質、寸法を変更可能に表示される。
【００４０】
これにより、端末機上にて立体的に様々な方向から商品を見ることが可能となる。更に、専用の３次元ビューア上で属性を動的に変更することができるので、同一商品の質感や寸法違いの商品を、実際に目で確認しながら検索することができる。
【００４１】
請求項７に記載の発明によれば、請求項６に記載の３次元モデル画像の表示検索システムに於いて、上記３次元モデルデータが、形状ファィルと属性ファィルとを有して成る。
【００４２】
これにより、サイズを抑えながら、より多くの商品をコンテンツに含むことが可能になる。
【００４３】
請求項８に記載の発明によれば、請求項７に記載の３次元モデル画像の表示検索システムに於いて、上記形状ファィルは商品の３次元形状のデータで構成され、上記属性ファィルは該商品の形状に対応した質感、寸法が定義されて構成される。
【００４４】
これにより、カタログ上には品番でしか存在しないような商品についても、属性を定義するだけで３次元データとして端末機上に表示することが可能となる。
【００４５】
請求項９に記載の発明によれば、請求項６に記載の３次元モデル画像の表示検索システムに於いて、上記形状ファィル、属性ファイル、３次元テクスチャ画像が、１つのファィルに圧縮して管理される。
【００４６】
これにより、サイズを抑えながら、より多くの商品をコンテンツに含むことが可能になる。
【００４７】
更に、請求項１０に記載の発明によれば、データベースサーバに記録された商品の属性データ、２次元モデルデータ及び３次元モデルデータに基いて、商品の画像情報を管理するプログラムを記録した記録媒体に於いて、上記プログラムに従って、上記データベースに記録されているデータに対して、希望する商品の画像情報を端末機で表示検索するように促し、上記記録媒体で管理された画像情報に対して、希望する商品の画像情報を表示するように促す。そして、上記希望する商品の表示、検索指示に対して、該当する商品の３次元画像を上記端末機に、回転及びズーム可能で、且つ、その材質、寸法を変更可能に表示するように促す。
【００４８】
これにより、端末機上にて立体的に様々な方向から商品を見ることが可能となる。更に、専用の３次元ビューア上で属性を動的に変更することができるので、同一商品の質感や寸法違いの商品を、実際に目で確認しながら検索することができる。
【００４９】
請求項１１に記載の発明によれば、請求項１０に記載の３次元モデル画像の表示検索プログラムを記録した記録媒体に於いて、上記３次元モデルデータは、形状ファィルと属性ファィルとを有して成る。
【００５０】
これにより、サイズを抑えながら、より多くの商品をコンテンツに含むことが可能になる。
【００５１】
請求項１２に記載の発明によれば、請求項１１に記載の３次元モデル画像の表示検索プログラムを記録した記録媒体に於いて、上記形状ファィルは商品の３次元形状のデータで構成され、上記属性ファィルは該商品の形状に対応した質感、寸法が定義されて構成される。
【００５２】
これにより、カタログ上には品番でしか存在しないような商品についても、属性を定義するだけで３次元データとして端末機上に表示することが可能となる。
【００５３】
請求項１３に記載の発明によれば、請求項１０に記載の３次元モデル画像の表示検索プログラムを記録した記録媒体に於いて、上記形状ファィル、属性ファイル、３次元テクスチャ画像は、１つのファィルに圧縮して管理される。
【００５４】
これにより、サイズを抑えながら、より多くの商品をコンテンツに含むことが可能になる。
【００５５】
また、請求項１４に記載の発明は、データベースサーバに記録された商品の属性データ、２次元モデルデータ及び３次元モデルデータに基いて、商品の画像情報を管理するためのサーバに於いて、上記データベースに記録されているデータに対して、希望する商品の画像情報を端末機で表示検索するように促す。そして、上記管理された画像情報に対して、希望する商品の画像情報を表示するように促し、更に上記希望する商品の表示、検索指示に対して、該当する商品の３次元画像を、回転及びズーム可能で、且つ、その材質、寸法を変更可能に上記端末機に表示するように促す。
【００５６】
これにより、端末機上にて立体的に様々な方向から商品を見ることが可能となる。更に、専用の３次元ビューア上で属性を動的に変更することができるので、同一商品の質感や寸法違いの商品を、実際に目で確認しながら検索することができる。
【００５７】
請求項１５に記載の発明は、請求項１４に記載の３次元モデル画像の表示検索を行うためのサーバに於いて、上記３次元モデルデータが、形状ファィルと属性ファィルとを有して成る。
【００５８】
これにより、サイズを抑えながら、より多くの商品をコンテンツに含むことが可能になる。
【００５９】
請求項１６に記載の発明は、請求項１５に記載の３次元モデル画像の表示検索を行うためのサーバに於いて、上記形状ファィルは商品の３次元形状のデータで構成され、上記属性ファィルは該商品の形状に対応した質感、寸法が定義されて構成される。
【００６０】
これにより、カタログ上には品番でしか存在しないような商品についても、属性を定義するだけで３次元データとして端末機上に表示することが可能となる。
【００６１】
請求項１７に記載の発明は、請求項１４に記載の３次元モデル画像の表示検索を行うためのサーバに於いて、上記形状ファィル、属性ファイル、３次元テクスチャ画像は、１つのファィルに圧縮して管理される。
【００６２】
これにより、ファィルサイズを小さくすることができるので、管理が容易になる。
【００６３】
【発明の実施の形態】
以下、図面を参照して本発明の実施の形態について説明する。
【００６４】
図１は、本発明の一実施の形態としての３次元モデル画像の表示検索システムを構成するブロック図である。
【００６５】
図１に於いて、本３次元モデル画像の表示検索システム用のサーバコンピュータとしてのデータベースを備えたサーバ１（以下、データベースサーバと記す）が、インターネット等の高速通信回線２に接続されている。この高速通信回線２には、また、パーソナルコンピュータ、ＰＤＡ等の利用者コンピュータとしての端末機３…が接続される。
【００６６】
上記データベースサーバ１には、アプリケーションとして商品を表示、検索するブラウザ及び３次元データを表示する３次元（３Ｄ）ビューアを有したデータ編集部４を介して、種々の素材データを有しているデータベース５が接続されている。このデータベース５には、詳細を後述する商品の属性データ、２次元（２Ｄ）データ、３次元データ等が含まれる。また、データベース５内で、商品と２次元データ、３次元データのリンクが管理されており、商品の検索と２次元データ、３次元データが連動するようになっている。
【００６７】
また、データベースサーバ１を通じて端末機３で読み出されるべく各種データと同様のデータが、上記データ編集部４によってＣＤ−ＲＯＭ／ＤＶＤ−ＲＯＭ等の大容量ストレージ６に書き込まれる。この大容量ストレージ６を通じても、端末機３で３次元モデル画像の表示、検索の実施が可能である。
【００６８】
ここで、本システムを実行する上で使用される３次元モデルフォーマット、及び３次元モデル画像を検索、表示可能とするブラウザについて説明する。
【００６９】
３次元モデルフォーマットは、その商品の形状ファィルと、質感、寸法、貼り方といった属性ファィルより構成され、コンピュータグラフィックス（ＣＧ）の要素を簡易な形式にて記述したものとする。
【００７０】
また、３次元モデル画像の検索、表示アプリケーションとして、商品を閲覧、検索するためのブラウザと、３次元画像データを表示するための３次元ビューアとを有した構造となっている。
【００７１】
そして、上記検索、表示アプリケーションとの連携をとるために、商品情報を配信するための規格として、モデル画像ハウジングライブラリが定義される。
【００７２】
モデル画像ハウジングライブラリとは、建築ＣＡＤ、３ＤＣＧソフトウエアへの商品情報データの提供、設計図面作成、３Ｄシミュレーション（内装、外装、インテリア）、プレゼンテーションシート作成、概算見積り作成、等のデータを、より円滑に利用することを可能にするために定義された仕様である。
【００７３】
この仕様に準拠したデータを、ここではモデル画像ハウジングライブラリ（ＭＨＬ）仕様データと称することにする。
【００７４】
配信する商品情報は、属性データ、２次元データ（商品画像、マッピング画像、２ＤＣＡＤ）、３次元データ（３ＤＣＡＤ）の３つのレイヤーから構成される。
【００７５】
尚、素材としては、商品の写真画像、ＣＧ画像、図面データ、３次元モデルが含まれる。
【００７６】
ここで、上記写真画像とは、実際の商品を撮影した画像であり、ＣＧ画像とは、商品をコンピュータ上でレンダリングした画像である。また、図面データとは商品のＣＡＤ図面であり、３次元モデルとは、モデル画像スクリプトＣＧフォーマットで記述された商品の３次元モデルのことである。
【００７７】
モデル画像検索、表示ブラウザは、商品データベースにアクセスし、ユーザの入力した検索情報から一致する商品を探し出し、一覧表示する。商品の詳細情報として品番、品名、価格、スペック、関連素材を含む。
【００７８】
関連素材として３次元モデルを選択すると、３次元ビューアに切り替わる。このビューア内ではモデルを３次元的に扱うことができ、拡大縮小や回転等を行うことで形状を把握できる。また属性を切り替えることで、質感や寸法を動的に変更し、同一商品のバリエーションを確認する。
【００７９】
属性を変更後、モデル画像検索、表示ブラウザに戻るときに、ビューアから品番情報が送られ、その品番に適合する商品の詳細情報が表示される。
【００８０】
次に、上述した各種商品情報について、図２及び図３を参照して説明する。
【００８１】
先ず、属性データについては、建具、部品、素材の３つのグループが存在する。そして、これらの各々について、データの充実度に応じて、提供する商品情報の必須度合がレベルとして定義され、レベル分け（例えばＬＥＶＥＬ１〜ＬＥＶＥＬル３）がなされている。このうち、ＬＥＶＥＬ１は属性データの必須データとする。また、ＬＥＶＥＬ２は、他のＣＡＤ／ＣＧソフトウエアにて活用可能なことをメインに設定されたものである。
【００８２】
また、属性データは、例えば、以下の内容を含む。すなわち、名称、型板、メーカ、単価が記述されている。予め決められた分類から、当該項目が選択されて分類情報が記述されている。建具、部品、素材の情報をスペックグループとして記述する、すなわち、ある１つの商品は、建具、部品、素材の何れかの属性に属し、且つ複数の属性にまたがらない。素材属性はマッピングのパラメータも含む。更に、各素材（画像、図形３Ｄ−ＣＧ）のファィル名、素材情報（フォーマット、サイズ等）が記述される。
【００８３】
次いで、２次元データについて説明する。
【００８４】
２次元データは、図面情報と、画像情報の２つのグループが存在する。
【００８５】
図面情報は、ＤＸＦフォーマットを標準とし、詳細度によって簡易図面（例えば１／１００）、詳細図面（例えば１／５０）、更に内容によって平面図、正面図、側面図に分類される。尚、フォーマットについては、データ提供者等の意向により、その他のフォーマット（例えばＤＸＦ、ＪＷＧ、ＳＶＧ等）を並存させることを可能としている。
【００８６】
一方、画像情報は、ＪＰＥＧフォーマットを標準とし、商品画像、施工例画像、特徴画像、マッピング画像に分類される。そして、例えば、７２ｄｐｉ表示解像度、２００ｄｐｉ出力解像度の２つの解像度画像を有し、サイズについては任意である。
【００８７】
また、図面情報、画像情報の、何れの２次元データも必須データではないが、図面については所定のルールが存在する。
【００８８】
次に、３次元データについて説明する。
【００８９】
３次元データは、ＴＰＺ、ＸＶＬの２つのフォーマットを標準とし、簡易３次元、詳細３次元の２つに分類される。フォーマットについては、データ提供者等の意向により、その他のフォーマットを並存させることを可能としている。また、何れの３次元データも必須データではない。
【００９０】
このように、素材の作成は、２次元、３次元ともに指定されたフォーマットで作成される。また、ＣＡＤデータに関しては、別途、所定のルールに従って作成されるようにする。更に、画像でない素材に関しては、検索表示用のプレビュー画像が予め作成される。
【００９１】
次に、モデル画像スクリプトＣＧフォーマットを、商品モデルの形状と属性を分けて管理する仕組みから説明する。
【００９２】
上記モデル画像スクリプトＣＧフォーマットに於いては、商品は、データベースにて形状ファィルと属性ファィルとから構成される。尚、ここでは、形状ファイルの拡張子はＴＰＳ、属性ファィルの拡張子はＴＰＭとする。
【００９３】
形状ファイル内には、形状を構成するパーツとその座標情報が入っている。例えば、図４に示されるような形状の商品の場合、面を構成する頂点座標、形状を構成する面、テクスチャ座標の他、質感の初期状態、寸法等の情報が、形状ファィル内に構成パーツ毎に入っている。
【００９４】
一方、属性ファイル内には、同じ形状を共有する品番の一覧と、品番に属する質感と寸法定義のパラメータが格納されている。ここでいう質感とは、色、光沢、反射、透過、模様等であり、この質感と商品との対応付け情報が属性ファイルに入っている。品番が指定された場合には、属性ファイル内から適合する属性を取り出し、形状のパーツに割り当てることで、必要なモデルを得ることができる。
【００９５】
例えば、図５に示されるように、品番ＡＡＡ−０１の場合は、寸法のパラメータがＡで、構成パーツ１に質感Ａ、構成パーツ２に質感Ｂ、構成パーツ３に質感Ｃが割り当てられ、品番ＡＡＡ−０２の場合は、寸法のパラメータがＢで、構成パーツ１に質感Ｄ、構成パーツ２に質感Ｅ、構成パーツ３に質感Ｃが割り当てられる。
【００９６】
このような手法により、形状１つに対し複数の属性を割り当てることが可能となる。
【００９７】
尚、両ファイルの中身はテキスト形式であり、データの階層構造の記述にはＸＭＬの方式を利用する。
【００９８】
上記モデル画像スクリプトＣＧは、圧縮形式をサポートし、実際に配布する場合には、形状ファイル、属性ファイル及び質感のテクスチャ画像ファイルをまとめて圧縮して１ファイル化する。この圧縮方式にはＬＺＨ圧縮を利用する。圧縮ファイルの拡張子はＴＰＺとする。
【００９９】
次に、図６乃至図１５を参照して、本発明の一実施の形態としての３次元モデル画像の表示検索システムの動作について説明する。
【０１００】
先ず、ステップＳ１にて、ユーザが端末機３を使用して本アプリケーションが実行されることにより、モデル画像検索、表示ブラウザが起動される。これにより、本ブラウザのアプリケーションが起動される。
【０１０１】
次に、ステップＳ２に於いて、ブラウザの起動により商品データベース、すなわち高速通信回線２を介してサーバ１へ接続されたか否かが判断される。ここで、端末機３とサーバ１とが接続されると、ステップＳ３以降の処理が実行される。
【０１０２】
尚、商品検索の前に、既に会員登録がなされている場合は、図７に示されるような画面から「ユーザＩＤ」及び「パスワード」が端末機３のキーボード等によって入力されることにより、図９に示されるような初期画面が、端末機３のディスプレイ上に表示される。
【０１０３】
一方、初めて本アプリケーションが実行される等、まだ会員登録がなされていない場合は、図８に示されるような新規会員登録の入力画面が、端末機３のディスプレイ上に表示される。そして、キーボード等によって会員登録の画面の各項目が入力された後、画面一番下の「確認」の釦がマウス等の操作によりクリックされたならば、図示されないが確認の画面にてチェックが行われ、その結果「ＯＫ」釦がクリックされたならば、図９に示されるような初期画面がディスプレイに表示される。
【０１０４】
そして、ステップＳ３にて、商品検索が行われる。この場合、初期画面であるメイン画面１１にて、階層構造表示画面１２に表示されている階層をたどると、所望の商品のカテゴリが検索される。これは、マウス等の操作によって、希望とする商品のカテゴリが反転表示され、クリックされることでカテゴリの選択が確定される。
【０１０５】
尚、商品の検索は、メーカ毎の各種仕様情報により、カテゴリ検索の他、例えばＩＤ（品番）検索、スペック（文字列パターンマッチング、マスタ）検索、数値検索、日付検索等が可能である。また、キーワード検索の欄１３内に所望の品番や用語を入力して検索する方法もあるが、ここでは説明を省略する。
【０１０６】
上記階層検索により、例えば「ＩＩＩ  地域以南」−「出入口」−「玄関廻り」−「玄関ドア」−「○○ドア」のカテゴリが順次選択されると、ステップＳ４の商品情報取得が実行されて、図１０に示される「○○ドア」の商品一覧画面１６が表示される。この商品一覧画面１６の上方には、検索の種類の表示と、選択されたカテゴリ、すなわち「ＩＩＩ  地域以南」、「出入口」、「玄関廻り」、「玄関ドア」、「○○ドア」に対するそれぞれの表示が、それぞれ表示欄１７ａ、１７ｂ、１７ｃ、１７ｄ、１７ｅ、１７ｆとしてなされている。
【０１０７】
尚、図１０では、商品一覧画面１６には「○○ドア」の商品８種類が表示されているが、この数以上の商品が存在する場合は、表示切替の釦１８をマウスの操作によりクリックすれば、次の商品が切替えられて表示されるようになっている。また、商品一覧画面１６の右側に設けられた三角形状の釦１９Ｕ或いは１９Ｄをマウス操作によりクリックすれば、当該三角形の頂点が表す方向に画面がスクロールされて、商品が切替えられて表示されるようになっている。
【０１０８】
そして、図１０に示される商品一覧画面１６に於いて、マウスの操作等により所望の商品が選択されると、ステップＳ５に移行して、図１１に示されるような当該商品の詳細表示画面２１が表示される。この詳細表示画面２１は、当該商品の拡大画像２２と、詳細情報欄２３と、機能釦欄２４とを有して構成される。
【０１０９】
詳細情報欄２３は、当該商品の品番、品名、価格、スペック等の詳細情報欄２３ａと、当該商品に付属する画像の表示欄２３ｂと、３次元部材があることを示す画像の表示欄２３ｃとを有して成る。また、機能釦欄２４は、当該商品の前後の商品に表示を切替えるための切替釦２４ａ、２４ｂ、文字出力釦２４ｃ、ファイル素材出力釦２４ｄ、商品一覧画面１６に戻るための戻り釦２４ｅとを有している。
【０１１０】
上記詳細情報欄２３ａには、スペックタイプとして、素材、建具、部品属性、レベル情報や、上述したＭＨＬ仕様で決められた属性情報が、項目対値として表示される。また、表示欄２３ｂとしては、当該画像にリンクする２次元、３次元コンテンツと、簡易図面、詳細図面、簡易３次元、詳細３次元、商品画像、施工例画像、特徴画像、マッピング画像、ＪＰＥＧ、ＤＸＦ、ＴＰＺ、ＸＶＬ、…等の各種コンテンツの種別が表示される。
【０１１１】
ステップＳ６に於いて、３次元モデルのデータが存在して画像２３ｃがマウスの操作等により選択されると、ステップＳ７へ移行して３次元モデルが表示される。一方、３次元モデルが存在しない場合は、後述するステップＳ１０へ移行する。
【０１１２】
上述したように、３次元モデルが選択されると、図１２に示されるように、３次元ビューアが起動されて、端末機３のディスプレイはブラウザから３次元ビューアの表示に切替わる。
【０１１３】
３次元ビューアは、商品を端末機３のディスプレイ上に立体像として表示するためのものである。この３次元ビューアの表示画面２８は、３次元の表示画像２９と、詳細情報欄３０と、表示画像として表示されている商品の検討用の機能釦３１ａ〜３１ｅ及び３２とから構成されている。
【０１１４】
当該商品の３次元モデルの拡大、縮小、移動、回転属性を変更するための機能釦３１ａ〜３１ｅ及び表示された画像に対して属性を変更するための機能釦３２とから構成されている。
【０１１５】
詳細情報欄３０は、品番欄３０ａ、質感欄３０ｂ、構成パーツ欄３０ｃ、質感の一覧３０ｄ、素材色欄３０ｅから成る。このうち、品番欄３０ａ、質感欄３０ｂ、構成パーツ欄３０ｃは、それぞれの欄の右側に設けられた三角形状の釦をマウス操作によりクリックすれば、当該三角形の頂点が表す方向に画面がスクロールされて、それぞれ品番、質感、構成パーツが切替えられて表示されるようになっている。更に、構成パーツ欄３０ｃには、３次元モデルのパーツとパーツに割り当てられた質感が一覧表示される。
【０１１６】
また、表示画像２９は、この画面内で、機能釦３１ａ〜３１ｅ及び３２によって、種々の操作が可能である。これらは、例えば、３次元モデルの拡大、縮小、移動、回転や初期状態に戻す機能や、質感の表示有無、ワイヤフレーム表示、座標軸の表示のオン／オフ等、表示方法の変更が行われる場合に使用される。すなわち、これらの機能釦３１ａ〜３１ｅ及び３２の操作によって、様々な角度から商品の検討が可能になる。
【０１１７】
図１３は、図１２に示される商品の質感を変更した例を示した図である。
【０１１８】
図１２に示される商品の質感欄３０ｂを「シャンパングレイ」から「ホットブラウン」に選択変更することにより、図１３に示される表示画像２９′のように、実際の３次元ビューア内の質感も対応されたものに変更される。このとき、品番も同時に変更される。
【０１１９】
尚、ここでは質感を変更した例を示したが、品番を選択して変更することも可能である。
【０１２０】
また、３次元ビューアの表示画面２８内の機能釦３２のカスタマイズ釦をクリックすることにより、３次元ビューア内の照明効果を変更することも可能である。例えば、図１４に示されるように、照明の効果として、照明の種類や色、背景色、或いはスポットライトの角度等の変更が可能である。これらによって、商品に対して様々な効果を試すことができる。
【０１２１】
次に、ステップＳ８にて、現在画像表示中の商品に対して、ユーザからダウンロードの要求があったか否かが判断される。ここで、要求がなければステップＳ１０へ移行し、要求がある場合はステップＳ９へ移行して、３次元モデルのダウンロードが実行される。
【０１２２】
例えば、図１５に示されるように、機能釦３２の保存釦がマウス等の操作によりクリックされると、プルダウンメニューが表示されて保存可能なファィル形式が表示される。ここで、ユーザが保存したい形式の項目を選択することによって、３次元モデルのダウンロードが実行される。尚、表示画面に表示された状態を、そのまま画像として保存することも可能である。
【０１２３】
ダウンロードが終了したならば、ステップＳ１０に於いて、ユーザが更に商品を検索するか否かが判断される。その結果、検索が終了するまで、上述したステップＳ３〜Ｓ１０が繰り返される。そして、検索が終了したならば、ステップＳ１１に移行して、ブラウザが終了される。これにより、端末機３と高速通信回線２との接続は切断される。
【０１２４】
尚、上述した実施の形態では、ユーザの端末機３を高速通信回線２を介してサーバのデータベースと接続した例について説明したが、これに限られるものではない。メーカの商品を３次元モデルデータとして作成し、アプリケーションとして商品検索用のブラウザと３次元モデル表示用の３次元ビューアが含まれているものを作成したＣＤ−ＲＯＭ６を使用して、ユーザの端末機３から読み込むようにしても、同様の効果を得ることができる。
【０１２５】
すなわち、ユーザにより端末機３にＣＤ−ＲＯＭ６がセットされて、ＣＤ−ＲＯＭ６内の本アプリケーションが実行されることにより、モデル画像検索、表示ブラウザが起動される。これにより、本ブラウザのアプリケーションが起動される。そして、ブラウザが起動されたならば、ＣＤ−ＲＯＭ６に記録されている商品データベースと素材ファイルとを有する商品カタログから、所望の商品の検索が実行されるようにすればよい。
【０１２６】
この場合、ＣＤ−ＲＯＭ６に記録されている商品以外の情報が必要な場合には、ブラウザ上から高速通信回線２を介してサーバ１に接続して、データベース５から入手することができるようにしてもよい。
【０１２７】
このように、商品を３次元データとして扱うことで、コンピュータディスプレイ上に商品の形状や質感を表示し、確認することができる。立体的に様々な方向から商品を眺めることが可能となり、更に専用の３次元ビューア上で属性を動的に変更できるため、同一商品の質感や寸法違いの商品を実際に目で確認しながら探し出すことが可能となる。また、形状は商品の３次元形状のデータであり、属性にはその形状に対応した質感や寸法の定義が含まれる。そして、これらの定義は複数持たせることができる。
【０１２８】
３次元モデルの表示ブラウザにより、３次元モデルの立体表示、回転、ズームに加え、質感と寸法の動的な変更を行うことができ、視覚的に商品を確認、選択することができる。加えて、レンダリング画像にはカラーマネジメント技術を用いており、実際の商品の質感に合わせることが可能である。
【０１２９】
また、形状ファイルと属性ファイルを分けて圧縮形式をサポートすることにより、サイズを抑えながら、より多くの商品をコンテンツに含むことが可能となった。加えて、インターネットからの配布も可能となった。ファイルサイズを小さくする仕組みとして、配布時に形状、属性ファイル、テクスチャー画像を１ファイルに圧縮する仕組みが導入される。
【０１３０】
更に、３次元データは商品データベースとリンクした構造で管理されるため、様々な品番やスペック情報を元に３次元データを取得したり、商品の詳細な情報を検索することができる。
【０１３１】
加えて、メーカ側としては、今まで高コストであったカタログの施工例画像生成に、コンピュータグラフィックスを使用することで低コスト化を図ることができる。また、カタログ上では品番しか存在しない商品に関しても、属性を定義するだけで、３次元データとして表示することが可能となった。
【０１３２】
【発明の効果】
請求項１に記載の３次元モデル画像の表示検索システムによれば、商品の属性データ、２次元モデルデータ及び３次元モデルデータがデータベースに記録されており、管理手段によって上記データベースに記録されているデータに基いて商品の画像情報が管理され、上記管理手段で管理された画像情報に対して、希望する商品の画像情報が端末機に表示され、上記端末機による希望する商品の表示、検索指示に対して、上記管理手段により該当する商品の３次元画像が、回転及びズーム可能で、且つ、その材質、寸法を変更可能に表示されることにより、端末機上にて立体的に様々な方向から商品を見ることが可能となり、更に、専用の３次元ビューア上で属性を動的に変更することができるので、同一商品の質感や寸法違いの商品を、実際に目で確認しながら検索することができる。
【０１３３】
請求項２に記載の発明によれば、請求項１に記載の３次元モデル画像の表示検索システムに於いて、上記端末機によって、上記管理手段で管理された画像情報に対して、通信回線を介して希望する商品の画像情報の検索、表示が行われるので、通信回線を介して商品のカタログを配布することが可能になる。
【０１３４】
請求項３に記載の発明によれば、請求項１に記載の３次元モデル画像の表示検索システムに於いて、上記３次元モデルデータは、形状ファィルと属性ファィルとを有して成るので、サイズを抑えながら、より多くの商品をコンテンツに含むことが可能になる。
【０１３５】
請求項４に記載の発明によれば、請求項２に記載の３次元モデル画像の表示検索システムに於いて、上記形状ファィルが商品の３次元形状のデータで構成され、上記属性ファィルが該商品の形状に対応した質感、寸法が定義されて構成されるので、カタログ上には品番でしか存在しないような商品についても、属性を定義するだけで３次元データとして端末機上に表示することが可能となる。
【０１３６】
請求項５に記載の発明によれば、請求項３に記載の３次元モデル画像の表示検索システムに於いて、上記管理手段が、上記形状ファィル、属性ファイル、３次元テクスチャ画像を１つのファィルに圧縮して管理するので、ファィルサイズを小さくすることができ、管理が容易になる。
【０１３７】
また、請求項６に記載の発明によれば、データベースサーバに記録された商品の属性データ、２次元モデルデータ及び３次元モデルデータに基いて、商品の画像情報を管理するプログラムを記録した記録媒体を使用する３次元モデル画像の表示検索システムに於いて、端末機では、上記プログラムに従って、上記データベースに記録されているデータに基いて、希望する商品の表示、検索指示に対して、該当する商品の３次元画像が、回転及びズーム可能で、且つ、その材質、寸法を変更可能に表示されるので、端末機上にて立体的に様々な方向から商品を見ることが可能となり、更に、専用の３次元ビューア上で属性を動的に変更することができるので、同一商品の質感や寸法違いの商品を、実際に目で確認しながら検索することができる。
【０１３８】
請求項７に記載の発明によれば、請求項６に記載の３次元モデル画像の表示検索システムに於いて、上記３次元モデルデータが、形状ファィルと属性ファィルとを有して成るので、サイズを抑えながら、より多くの商品をコンテンツに含むことが可能になる。
【０１３９】
請求項８に記載の発明によれば、請求項７に記載の３次元モデル画像の表示検索システムに於いて、上記形状ファィルは商品の３次元形状のデータで構成され、上記属性ファィルは該商品の形状に対応した質感、寸法が定義されて構成されるので、カタログ上には品番でしか存在しないような商品についても、属性を定義するだけで３次元データとして端末機上に表示することが可能となる。
【０１４０】
請求項９に記載の発明によれば、請求項６に記載の３次元モデル画像の表示検索システムに於いて、上記形状ファィル、属性ファイル、３次元テクスチャ画像が、１つのファィルに圧縮して管理されるので、サイズを抑えながら、より多くの商品をコンテンツに含むことが可能になる。
【０１４１】
更に、請求項１０に記載の発明によれば、データベースサーバに記録された商品の属性データ、２次元モデルデータ及び３次元モデルデータに基いて、商品の画像情報を管理するプログラムを記録した記録媒体に於いて、上記プログラムに従って、上記データベースに記録されているデータに対して、希望する商品の画像情報を端末機で表示検索するように促し、上記記録媒体で管理された画像情報に対して、希望する商品の画像情報を表示するように促し、上記希望する商品の表示、検索指示に対して、該当する商品の３次元画像を上記端末機に、回転及びズーム可能で、且つ、その材質、寸法を変更可能に表示するように促すので、端末機上にて立体的に様々な方向から商品を見ることが可能となり、更に、専用の３次元ビューア上で属性を動的に変更することができるので、同一商品の質感や寸法違いの商品を、実際に目で確認しながら検索することができる。
【０１４２】
請求項１１に記載の発明によれば、請求項１０に記載の３次元モデル画像の表示検索プログラムを記録した記録媒体に於いて、上記３次元モデルデータは、形状ファィルと属性ファィルとを有して成るので、サイズを抑えながら、より多くの商品をコンテンツに含むことが可能になる。
【０１４３】
請求項１２に記載の発明によれば、請求項１１に記載の３次元モデル画像の表示検索プログラムを記録した記録媒体に於いて、上記形状ファィルは商品の３次元形状のデータで構成され、上記属性ファィルは該商品の形状に対応した質感、寸法が定義されて構成されるので、カタログ上には品番でしか存在しないような商品についても、属性を定義するだけで３次元データとして端末機上に表示することが可能となる。
【０１４４】
請求項１３に記載の発明によれば、請求項１０に記載の３次元モデル画像の表示検索プログラムを記録した記録媒体に於いて、上記形状ファィル、属性ファイル、３次元テクスチャ画像は、１つのファィルに圧縮して管理されるので、サイズを抑えながら、より多くの商品をコンテンツに含むことが可能になる。
【０１４５】
また、請求項１４に記載の発明は、データベースサーバに記録された商品の属性データ、２次元モデルデータ及び３次元モデルデータに基いて、商品の画像情報を管理するためのサーバに於いて、上記データベースに記録されているデータに対して、希望する商品の画像情報を端末機で表示検索するように促し、上記管理された画像情報に対して、希望する商品の画像情報を表示するように促し、更に上記希望する商品の表示、検索指示に対して、該当する商品の３次元画像を、回転及びズーム可能で、且つ、その材質、寸法を変更可能に上記端末機に表示するように促すので、端末機上にて立体的に様々な方向から商品を見ることが可能となり、更に、専用の３次元ビューア上で属性を動的に変更することができるので、同一商品の質感や寸法違いの商品を、実際に目で確認しながら検索することができる。
【０１４６】
請求項１５に記載の発明は、請求項１４に記載の３次元モデル画像の表示検索を行うためのサーバに於いて、上記３次元モデルデータが、形状ファィルと属性ファィルとを有して成るので、サイズを抑えながら、より多くの商品をコンテンツに含むことが可能になる。
【０１４７】
請求項１６に記載の発明は、請求項１５に記載の３次元モデル画像の表示検索を行うためのサーバに於いて、上記形状ファィルは商品の３次元形状のデータで構成され、上記属性ファィルは該商品の形状に対応した質感、寸法が定義されて構成されるので、カタログ上には品番でしか存在しないような商品についても、属性を定義するだけで３次元データとして端末機上に表示することが可能となる。
【０１４８】
請求項１７に記載の発明は、請求項１４に記載の３次元モデル画像の表示検索を行うためのサーバに於いて、上記形状ファィル、属性ファイル、３次元テクスチャ画像は、１つのファィルに圧縮して管理されるので、ファィルサイズを小さくすることができるので、管理が容易になる。
【図面の簡単な説明】
【図１】本発明の一実施の形態としての３次元モデル画像の表示検索システムを構成するブロック図である。
【図２】モデル画像ハウジングライブラリ（ＭＨＬ）仕様データの構造概念を示した図である。
【図３】モデル画像ハウジングライブラリ（ＭＨＬ）仕様データのリンク構造概念を示した図である。
【図４】形状を記述したファイルの概要を説明する図である。
【図５】質感を定義したファィルの概要を説明する図である。
【図６】本発明の一実施の形態としての３次元モデル画像の表示検索システムの動作を説明するフローチャートである。
【図７】本発明の一実施の形態としての３次元モデル画像の表示検索システムの動作について説明するもので、商品検索の前に表示されるユーザＩＤ、パスワードの入力画面を示した図である。
【図８】本発明の一実施の形態としての３次元モデル画像の表示検索システムの動作について説明するもので、商品検索の前に表示される新規会員登録の入力画面を示した図である。
【図９】本発明の一実施の形態としての３次元モデル画像の表示検索システムの動作について説明するもので、初期画面の例を示した図である。
【図１０】商品一覧画面１６の表示例を示した図である。
【図１１】図１０の商品一覧画面１６に於いて選択された当該商品の詳細表示画面２１の例を示した図である。
【図１２】図１１の詳細表示画面２１で選択された当該商品を３次元ビューアで表示した例を示した図である。
【図１３】図１２に示される商品の質感を変更した例を示した図である。
【図１４】３次元ビューア内の照明効果を変更する場合の設定画面の例を示した図である。
【図１５】表示されている画像を保存する画面の例を示した図である。
【符号の説明】
１  サーバ（データベースサーバ）、
２  高速通信回線、
３  端末機、
４  データ編集部、
５  データベース、
６  大容量ストレージ、
１１  メイン画面、
１２  階層構造表示画面、
１３  キーワード検索の欄、
１６  商品一覧画面、
１７ａ、１７ｂ、１７ｃ、１７ｄ、１７ｅ、１７ｆ  表示欄、
２１  詳細表示画面、
２２  拡大画像、
２３、３０  詳細情報欄、
２４  機能釦欄、
２８  表示画面、
２９  ３次元の表示画像、
３１ａ〜３１ｅ、３２  機能釦。
【図１】
2004151754.tif 000003
【図２】
2004151754.tif 000004
【図３】
2004151754.tif 000005
【図４】
2004151754.tif 000006
【図５】
2004151754.tif 000007
【図６】
2004151754.tif 000008
【図７】
2004151754.tif 000009
【図８】
2004151754.tif 000010
【図９】
2004151754.tif 000011
【図１０】
2004151754.tif 000012
【図１１】
2004151754.tif 000013
【図１２】
2004151754.tif 000014
【図１３】
2004151754.tif 000015
【図１４】
2004151754.tif 000016
【図１５】
2004151754.tif 000017